(57)【要約】【課題】高精度で記録部での記録媒体の平坦性を確保可能な画像形成装置を提供する。【解決手段】画像形成装置１０は、記録用紙ＳＨへ液滴を吐出して画像を描画する記録ヘッド１６と、記録ヘッド１６と対向配置されて液滴を受ける平坦部１７を有し、この平坦部１７上に記録用紙ＳＨを吸着して記録用紙ＳＨの平面性を保持する吸着描画部１８と、吸着描画部１８へ記録用紙ＳＨを送り出す副走査ローラ１４と、吸着描画部１８の下流側に配置され、搬送方向下流側への従動回転が可能とされ、記録用紙ＳＨを挟持して搬送方向下流側へ送ると共に、搬送方向上流側への回転が阻止された第１搬送ローラ２０と、を備えている。【選択図】図１
2010221472.tif 000002
【特許請求の範囲】
【請求項１】
記録媒体へ液滴を吐出して画像を描画する記録ヘッドと、
前記記録ヘッドと対向配置されて液滴を受ける平坦部を有し、この平坦部上に記録媒体を吸着して記録媒体の平面性を保持する吸着描画部と、
前記吸着描画部へ記録媒体を送り出す上流側搬送部と、
前記吸着描画部の下流側に配置され、搬送方向下流側への従動回転が可能とされ、前記記録媒体を挟持して搬送方向下流側へ送ると共に、搬送方向上流側への回転が阻止された逆送阻止搬送ローラと、
を備えた画像形成装置。
【請求項２】
前記逆送阻止搬送ローラは、前記上流側搬送部による搬送速度以下の搬送速度で搬送方向下流側への回転駆動が可能とされていること、を特徴とする請求項１に記載の画像形成装置。
【請求項３】
前記逆送阻止搬送ローラは、前記平坦部の上面との間で前記記録媒体を挟持すること、を特徴とする請求項１または請求項２に記載の画像形成装置。
【請求項４】
前記平坦部の下流側端部と前記逆送阻止搬送ローラでの記録媒体の挟持部との距離をＳ、前記逆送阻止搬送部の従動負荷をＦ、前記記録媒体の縦弾性係数Ｅ、記録媒体の断面二次モーメントＩとし、
Ｓ＜2π（Ｅ・Ｉ/Ｆ）1/2
の関係が満たされていることを特徴とする請求項１〜請求項３のいずれか１項に記載の画像形成装置。
【請求項５】
前記記録媒体は、ロール状に巻き回された状態から前記吸着描画部で前記記録ヘッド側へ凸となる巻き出し方向で前記平坦部へ供給されること、を特徴とする請求項１〜請求項４のいずれか１項に記載の画像形成装置。
【請求項６】
前記逆送阻止搬送ローラの搬送方向下流側に設けられ前記記録媒体を挟持して搬送方向下流側へ送る第２搬送ローラと、
前記記録媒体を所定のサイズに切断するカッター部と、
前記逆送阻止搬送ローラと前記第２搬送ローラとの間に設けられ、前記カッター部での記録媒体切断時における搬送停止による前記逆送阻止搬送ローラと前記第２搬送ローラでの搬送量の差分を前記記録媒体を湾曲させて吸収する湾曲搬送部と、
を備えた請求項５に記載の画像形成装置。
【請求項７】
前記湾曲搬送部における前記記録媒体の湾曲方向は、前記記録媒体の巻き回し方向と同方向であること、を特徴とする請求項６に記載の画像形成装置。
【請求項８】
前記第１搬送ローラと前記第２搬送ローラとの間の全域において前記記録媒体の湾曲方向は、前記記録媒体の巻き回し方向と同方向であること、を特徴とする請求項６に記載の画像形成装置。
【発明の詳細な説明】
【技術分野】
【０００１】
本発明は、画像形成装置に関するものであり、特に、液体を記録媒体へ吐出して記録媒体に画像を形成する画像形成装置に関するものである。
【背景技術】
【０００２】
インクなどの液体を吐出して記録媒体上に画像を形成する画像形成装置が広く知られている。この画像形成装置では、記録ヘッドの真下に記録媒体を搬送し、画像を描画している。
【０００３】
このような画像形成装置では、記録ヘッドと記録媒体との距離が不均一であると描画に影響が出てしまうため、記録媒体の平坦形状を保持するための矯正が従来から行われてきている。
【０００４】
例えば、特許文献１では、記録部よりも下流側の記録媒体送り速度を上流側よりも速くするとともに、下流側の駆動軸をトルクリミッタでスリップさせることにより、記録部の記録媒体にバックテンションをかけて平坦性の確保を行っている。しかしながら、この方法では、記録媒体を引っ張ることによる縦しわの発生が生じてしまったり、搬送方向下流側からの影響によっても駆動軸がスリップしてしまったりするという問題がある。
【０００５】
また、特許文献２では、記録部において吸着発生手段を用いて平坦性を確保すると共に、記録部とカッター部との間のループ形成部が設けられていることからループ形成部からの影響を抑えるため、複数本のローラを用いてループ形成部の上流側における記録媒体のバタツキを抑制している。しかしながら、特許文献２の技術では、記録部下流側のグリップ力が強いため、上流側の送り出し速度が速くなると、記録部での記録媒体の緩みが発生しやすい。また、下流側の速度が速い場合には、記録媒体の画像面でスリップが発生し、画像劣化の原因となってしまう。また、複数本のローラを必要とすることから部品点数が増えてしまう。
【先行技術文献】
【特許文献】
【０００６】
【特許文献１】実開平０１−４４１４９号公報
【特許文献２】特開２００６−５６６５５号公報
【発明の概要】
【発明が解決しようとする課題】
【０００７】
本発明は、上記事実を考慮してなされたものであり、高精度で記録部での記録媒体の平坦性を確保可能な画像形成装置を提供することを課題とする。
【課題を解決するための手段】
【０００８】
請求項１に記載の画像形成装置は、記録媒体へ液滴を吐出して画像を描画する記録ヘッドと、前記記録ヘッドと対向配置されて液滴を受ける平坦部を有し、この平坦部上に記録媒体を吸着して記録媒体の平面性を保持する吸着描画部と、前記吸着描画部へ記録媒体を送り出す上流側搬送部と、前記吸着描画部の下流側に配置され、搬送方向下流側への従動回転が可能とされ、前記記録媒体を挟持して搬送方向下流側へ送ると共に、搬送方向上流側への回転が阻止された逆送阻止搬送ローラと、を備えている。
【０００９】
上記構成の画像形成装置では、吸着描画部の平坦部上において、記録媒体への描画（記録）が行われる。平坦部上の記録媒体は、平坦部へ吸着されることにより平坦性が保持される。また、吸着描画部の下流側に配置された逆送阻止搬送ローラは、記録媒体を挟持して搬送方向下流側へ従動回転可能とされている。したがって、上流側搬送部と逆送阻止搬送ローラ間について、上流側搬送部での送り出し速度によって、記録媒体を搬送することができる。また、逆送阻止搬送ローラは、搬送方向上流側への回転が阻止されているので、逆送阻止搬送ローラの下流側における記録媒体の緩みなどによる上流側への影響を抑制することができる。
【００１０】
請求項２に記載の画像形成装置は、前記逆送阻止搬送ローラが、前記上流側搬送部による搬送速度以下の搬送速度で搬送方向下流側への回転駆動が可能とされていること、を特徴とする。
【００１１】
逆送阻止搬送ローラは、従動回転することにより、上流側搬送部での送り出し速度によって、記録媒体を搬送するが、記録媒体の下流側端部が上流側搬送部を通過した後などの場合には、記録媒体を搬送する駆動力が必要となる。そこで、このように、逆送阻止搬送ローラについて、上流側搬送部の搬送速度以下の搬送速度で搬送方向下流側への回転駆動を可能とすることにより、記録媒体の平坦性を確保しつつ搬送することができる。
【００１２】
請求項３に記載の画像形成装置は、前記逆送阻止搬送ローラが、前記平坦部の上面との間で前記記録媒体を挟持すること、を特徴とする。
【００１３】
上記構成によれば、平坦部と逆送阻止搬送ローラとが離間されていないので、記録媒体の座曲を抑制することができる。
【００１４】
請求項４に記載の画像形成装置は、前記平坦部の下流側端部と前記逆送阻止搬送ローラでの記録媒体の挟持部との距離をＳ、前記逆送阻止搬送部の従動負荷をＦ、前記記録媒体の縦弾性係数Ｅ、記録媒体の断面二次モーメントＩとし、
【００１５】
Ｓ＜2π（Ｅ・Ｉ/Ｆ）1/2
の関係が満たされていることを特徴とする。
【００１６】
上記のように、設定することにより、平坦部と逆送阻止搬送ローラとの間での記録媒体の座曲を抑制することができる。
【００１７】
請求項５に記載の画像形成装置は、前記記録媒体は、ロール状に巻き回された状態から前記吸着描画部で前記記録ヘッド側へ凸となる巻き出し方向で前記平坦部へ供給されること、を特徴とする。
【００１８】
記録媒体の巻きによるくせづけの方向を、上記のようにすることで、逆方向に配置した場合と比較して、吸着描画部での平坦部への吸着による平坦性の確保を、効率的に行うことができる。
【００１９】
請求項６に記載の画像形成装置は、前記逆送阻止搬送ローラの搬送方向下流側に設けられ前記記録媒体を挟持して搬送方向下流側へ送る第２搬送ローラと、前記記録媒体を所定のサイズに切断するカッター部と、前記逆送阻止搬送ローラと前記第２搬送ローラとの間に設けられ、前記カッター部での記録媒体切断時における搬送停止による前記逆送阻止搬送ローラと前記第２搬送ローラでの搬送量の差分を前記記録媒体を湾曲させて吸収する湾曲搬送部と、を備えている。
【００２０】
このように、記録媒体の切断を行うカッター部が吸着描画部よりも下流側に配置されていて、切断時における搬送停止による記録媒体の搬送量の差分を吸収するための湾曲搬送部を設けた場合には、特に、この湾曲搬送部からの影響により、吸着描画部上の記録媒体に外力が作用されやすくなるため、逆送阻止搬送ローラを好適に用いることができる。
【００２１】
請求項７に記載の画像形成装置は、前記湾曲搬送部における前記記録媒体の湾曲方向が、前記記録媒体の巻き回し方向と同方向であること、を特徴とする。
【００２２】
このように、記録媒体の湾曲方向を設定することにより、湾曲搬送部における記録媒体の反力が逆方向の場合よりも小さくなり、逆送阻止搬送ローラへの影響を小さくすることができる。
【００２３】
請求項８に記載の画像形成装置は、前記逆送阻止搬送ローラと前記第２搬送ローラとの間の全域において前記記録媒体の湾曲方向は、前記記録媒体の巻き回し方向と同方向であること、を特徴とする。
【００２４】
このように、記録媒体の湾曲方向を設定することにより、逆送阻止搬送ローラと第２搬送ローラとの間における記録媒体の反力を、より小さくすることができ、逆送阻止搬送ローラへの影響を小さくすることができる。
【発明の効果】
【００２５】
本発明によれば、高精度で記録部での記録媒体の平坦性を確保することができる。
【図面の簡単な説明】
【００２６】
【図１】第１実施形態に係る画像形成装置の概略構成を示す図である。
【図２】第１実施形態に係る画像形成装置の吸着描画部付近の構成を示す斜視図である。
【図３】第１実施形態の変形例に係る画像形成装置の概略構成を示す図である。
【図４】第１実施形態の他の変形例に係る画像形成装置の概略構成を示す図である。
【図５】第１実施形態の他の変形例に係る画像形成装置の概略構成を示す図である。
【図６】第１実施形態の他の変形例に係る画像形成装置の概略構成を示す図である。
【図７】第２実施形態に係る画像形成装置の概略構成を示す側面図である。
【図８】第２実施形態に係る画像形成装置の搬送ベルトを示す斜視図である。
【図９】第２実施形態の変形例に係る画像形成装置の概略構成を示す側面図である。
【発明を実施するための形態】
【００２７】
［第１実施形態］
【００２８】
以下、図面に基づいて、本発明の実施態様について説明する。
【００２９】
図１に示すように、本実施形態に係る画像形成装置１０は、ロール用紙供給部１２、副走査ローラ１４、記録ヘッド１６、吸着描画部１８、第１搬送ローラ２０、第２搬送ローラ３４、カッター３６、湾曲搬送部３０、排出ローラ３８、及び、排紙トレイ３９を備えている。
【００３０】
ロール用紙供給部１２には、記録媒体としての長尺状の記録用紙ＳＨがロール状に巻き回されたロール記録用紙（連続用紙）ＳＲがストックされている。記録用紙ＳＨとしては、普通紙や、両面にインク吸収層を有するインクジェット記録用紙などが挙げられる。ロール記録用紙ＳＲは、搬送ローラ１３等により、搬送方向の下流側へ巻き出され、Ｗｅｂ形態（カットされていない長尺形態）で搬送される。なお、本実施形態では、ロール記録用紙への描画について説明するが、画像形成装置は、カット紙が積層装填されたカセットを併設し、カット紙の描画も可能とするものであってもよい。
【００３１】
記録ヘッド１６は、図２に示すように、ガイド軸１１に取り付けられており、ガイド軸１１に沿って、記録用紙ＳＨの幅方向（以下この方向を「主走査方向Ｘ」という）に移動可能とされている。記録ヘッド１６の下面には、インクを吐出するノズル（不図示）が構成されており、ノズルから画像データに対応してインクが吐出されることにより、記録用紙ＳＨに画像が形成される。
【００３２】
図１に示すように、記録ヘッド１６の下面側には、記録ヘッド１６と対向して、吸着描画部１８が配置されている。吸着描画部１８には、上面に平坦部１７が形成されると共に、内部に吸引ファン１９が収納されている。
【００３３】
平坦部１７は上面が平坦形状とされ、記録ヘッド１６と平行に向き合うように配置されている。平坦部１７には、内部へ貫通する複数の小穴１７Ａが構成されている。吸引ファン１９は、吸着描画部１８の内部が負圧になるように空気を吸引する。これにより、吸着描画部１８上の記録用紙ＳＨは、小穴１７Ａからの吸引により平坦部１７に吸着されて平坦性が保持される。平坦部１７上の記録用紙ＳＨへ向かってインクが吐出され、画像が形成される。
【００３４】
副走査ローラ１４は、吸着描画部１８の搬送方向上流側に配置されている。副走査ローラ１４の回転軸１４Ａの一端側には、プーリー４４が取り付けられている。プーリー４４は、ベルト４５を介してモータ４６のモータ軸４６Ａと連結されており、モータ４６の駆動力が副走査ローラ１４に伝達されている。
【００３５】
副走査ローラ１４の外周面には、押さえローラ４０が配置されている。押さえローラ４０により、記録用紙ＳＨが副走査ローラ１４との間で挟持され、吸着描画部１８へ送り出される。記録用紙ＳＨは、ロール状に巻回されていた際の外面が吸着描画部１８で記録ヘッド１６側と対向するように搬送方向下流側へ送り出される。以下、この送り出し方向を「副走査方向Ｙ」とする。記録用紙ＳＨ上への画像の描画は、画像データに基づいて、記録ヘッド１６の主走査方向Ｘへの走査と、記録用紙ＳＨの副走査方向Ｙへの送り出しとを繰り返すことにより行われる。副走査ローラ１４での記録用紙ＳＨの搬送速度をＶ０とする。
【００３６】
副走査ローラ１４の回転軸１４Ａの他端側には、エンコーダ４２が取り付けられている。エンコーダ４２は、副走査ローラ１４による記録用紙ＳＨの送り量をモータ４６へフィードバックしている。エンコーダ４２からの送り量情報に基づいて、モータ４６の駆動が制御され、記録用紙ＳＨが副走査方向Ｙへ間欠送りされる。
【００３７】
なお、記録用紙ＳＨの送り精度を向上させる方法としては、エンコーダとして高分解能のエンコーダを用いると共に、副走査ローラ１４の外径と振れ情報を事前に特定しておき、副走査ローラ１４の回転角度により送り量を補正することにより、行うことができる。
【００３８】
吸着描画部１８の下流側には、第１搬送ローラ２０が配置されている。第１搬送ローラ２０は、一対の第１ローラ２０Ａ、２０Ｂで構成されている。第１ローラ２０Ａの回転軸２０Ｓの一端には、ギア２２が取り付けられ、ギア２２、２４を介して、第１ローラ２０Ａにモータ２６の駆動力が伝達される。ギア２２は、回転軸２０Ｓに対して、ワンウェイクラッチ２１を介して取り付けられている。ワンウェイクラッチ２１により、回転軸２０Ｓは、搬送方向下流側への所定の回転負荷により、ギア２２に対してスベリ回転するようになっている。したがって、第１搬送ローラ２０は、所定の従動負荷により、搬送方向下流側に従動回転可能となっている。また、ワンウェイクラッチ２１により、回転軸２０Ｓは搬送方向上流側への回転が阻止されている。
【００３９】
吸着描画部１８の平坦部１７の下流端部と、第１搬送ローラ２０での記録用紙ＳＨの挟持部との距離をＳ、記録用紙ＳＨの縦弾性係数Ｅ、記録用紙の断面二次モーメントＩ、第１搬送ローラ２０の搬送方向下流側への従動回転負荷をＦとすると、式１の関係が満たされている。
【００４０】
Ｓ＜2π（E・I/F）1/2    （式１）
【００４１】
上記式１が満たされていることで、吸着描画部１８の平坦部１７の下流端部と、第１搬送ローラ２０での記録用紙ＳＨの挟持部との間における、記録用紙ＳＨの座屈を防止することができる。
【００４２】
記録用紙ＳＨは、第１ローラ２０Ａ及び第１ローラ２０Ｂの間に挟持され、搬送方向下流側へ送られる。第１搬送ローラ２０のモータ２６の駆動による搬送速度をＶ１とする。搬送速度Ｖ１は、副走査ローラ１４におる搬送速度Ｖ０以下とされている（Ｖ１≦Ｖ０）。
【００４３】
第１搬送ローラ２０の下流側には、湾曲搬送部３０が設けられている。湾曲搬送部３０には、可動ガイド３２が設けられている。可動ガイド３２は、第１搬送ローラ２０から後述する第２搬送ローラ３４までの間でＵ字状に湾曲されており、第１搬送ローラ２０側の端部軸３２Ａを中心に案内位置Ｐ１と開放位置Ｐ２との間を回動可能とされている。湾曲搬送部３０では、第１搬送ローラ２０での搬送量と第２搬送ローラ３４での搬送量との差を吸収するために、記録用紙ＳＨがＵ字状に湾曲した状態で搬送されている。Ｕ字底部の湾曲方向は、ロール記録用紙ＳＲの巻き方向と逆方向（記録用紙ＳＨの巻きぐせの方向と逆方向）となっている。
【００４４】
第２搬送ローラ３４は、湾曲搬送部３０の下流端に配置され、一対の第２ローラ３４Ａ、３４Ｂで記録用紙ＳＨを挟持し、不図示のモータと連結されて、回転により記録用紙ＳＨを下流側へ搬送している。
【００４５】
第２搬送ローラ３４の下流側には、カッター３６が設けられている。カッター３６により、記録用紙ＳＨが所定のサイズに切断される。
【００４６】
カッター３６の下流側には、排出ローラ３８が配置され、排出ローラ３８の下流側に排紙トレイ３９が配置されている。排出ローラ３８により記録用紙ＳＨが排紙トレイ３９へ排出される。
【００４７】
上記構成の画像形成装置１０での、記録用紙ＳＨの搬送、及び、記録用紙ＳＨへの描画は、以下のようにして行われる。
【００４８】
記録用紙ＳＨは、ロール用紙供給部１２から搬送ローラ１３等により搬送方向の下流側へ巻き出され、副走査ローラ１４へ送られる。記録用紙ＳＨは、押さえローラ４０により副走査ローラ１４の外周へ押圧されつつ吸着描画部１８へ送り出される。吸着描画部１８では、吸引ファン１９による負圧で、記録用紙ＳＨが平坦部１７の上面に吸着されつつ、副走査方向Ｙへ搬送される。
【００４９】
吸着描画部１８では、画像データに基づいて、記録ヘッド１６の主走査方向Ｘへの走査と、副走査ローラ１４による副走査方向Ｙへの送り出しとが繰り返され、記録用紙ＳＨへの描画が行われる。
【００５０】
吸着描画部１８の下流側で、記録用紙ＳＨは第１搬送ローラ２０に挟持される。このとき、第１搬送ローラ２０の搬送速度Ｖ１は、副走査ローラ１４の搬送速度Ｖ０以下であることから、通常は、下流側へ送られる記録用紙ＳＨからの負荷により、第１搬送ローラ２０は搬送方向下流方向へ従動回転して、搬送速度Ｖ０で記録用紙ＳＨを送り出す。このように、第１搬送ローラ２０の従動回転により記録用紙ＳＨを搬送することにより、記録用紙の搬送方向下流側への引っ張りによる縦しわの発生を抑制することができる。なお、記録用紙ＳＨの後端部が副走査ローラ１４を通過した後は、第１搬送ローラ２０の駆動により、記録用紙ＳＨが搬送される。
【００５１】
第１搬送ローラ２０を通過後、記録用紙ＳＨは、Ｕ字状に湾曲された搬送路に沿って搬送され、第２搬送ローラ３４に挟持される。記録用紙ＳＨの先端部が第２搬送ローラ３４に挟持されるまでは、可動ガイド３２は案内位置Ｐ１に配置され、記録用紙ＳＨの先端部を第２搬送ローラ３４へ案内する。記録用紙ＳＨの先端部が第２搬送ローラ３４に挟持された後は、可動ガイド３２は開放位置Ｐ２に移動され、記録用紙ＳＨの搬送量に自由度が加えられている。
【００５２】
第２搬送ローラ３４により、記録用紙ＳＨはカッター３６へ送り出される。カッター３６での記録用紙ＳＨの切断時には、第２搬送ローラ３４は記録用紙ＳＨの搬送を停止し、非切断時に搬送を行う。第２搬送ローラ３４の停止中は、第１搬送ローラ２０の搬送量が第２搬送ローラ３４の搬送量よりも多くなるため、湾曲搬送部３０における記録用紙ＳＨの長さが長くなる。記録用紙ＳＨの長さの差分は、湾曲搬送部３０で吸収される。
【００５３】
このとき、湾曲搬送部３０で湾曲している記録用紙ＳＨは、第１搬送ローラ２０に搬送方向と逆方向の外力を作用させることがあるが、第１搬送ローラ２０は、ワンウェイクラッチ２１により搬送方向逆側への回転が阻止されている。したがって、記録用紙ＳＨが吸着描画部１８側へ逆送されることはなく、湾曲搬送部３０からの外力を遮断して、吸着描画部１８において良好な描画を行うことができる。
【００５４】
カッター３６で切断された記録用紙ＳＨは、排出ローラ３８により、排紙トレイ３９へ排出される。
【００５５】
以上説明したように、本実施形態によれば、第１搬送ローラ２０が、副走査ローラ１４に送り出された記録用紙ＳＨからの負荷による従動回転で記録用紙ＳＨを送り出すので、記録用紙ＳＨに下流方向への引っ張り力が作用することによる縦しわの発生を抑制することができる。また、第１搬送ローラ２０は、搬送方向と逆方向への回転が阻止されているので、湾曲搬送部３０からの外力による影響が吸着描画部１８へ及ぼされることがなく、記録用紙ＳＨへ良好な描画を行うことができる。
【００５６】
なお、本実施形態では、湾曲搬送部３０における記録用紙ＳＨのＵ字底部の湾曲方向を、ロール記録用紙ＳＲの巻き方向と逆方向としたが、湾曲方向は、図３に示すように、ロール記録用紙ＳＲの巻き方向と同方向としてもよい。このように、ロール記録用紙ＳＲの巻き方向と同方向とすることにより、湾曲による第１搬送ローラ２０への外力を抑制することができる。
【００５７】
また、図４に示すように、記録用紙ＳＨのＵ字底部の湾曲方向だけでなく、第１搬送ローラ２０での記録用紙ＳＨの挟持部分から第２搬送ローラ３４での記録用紙ＳＨの挟持部分までの全域、すなわちこの区間の全搬送路において、記録用紙ＳＨがロール記録用紙ＳＲの巻き方向と同方向に湾曲するように搬送路を構成してもよい。このように、記録用紙ＳＨがロール記録用紙ＳＲの巻き方向と逆方向に湾曲する部分を設けないことにより、巻きぐせによる第１搬送ローラ２０への外力をより効果的に抑制することができる。
【００５８】
また、本実施形態では、第１搬送ローラ５０を吸着描画部１８よりも下流側に配置したが、図５に示すように、第１ローラ２０Ａのみを吸着描画部１８側で平坦部１７上に配置してもよい。この場合には、第１ローラ２０Ａは、平坦部１７との間で記録用紙ＳＨを挟持する。
【００５９】
また、本実施形態では、吸着描画部１８における吸引を吸引ファン１９で行った例について説明したが、図６に示すように、吸引は吸引ポンプ１９Ｐを用いて行ってもよい。この場合には、吸引ポンプ１９Ｐを吸着描画部１８へ接続し、吸引ポンプ１９Ｐで吸着描画部１８内を負圧にすることにより、平坦部１７へ記録用紙ＳＨを吸着させて、吸着描画部１８における記録用紙ＳＨの平坦性を確保することができる。
【００６０】
［第２実施形態］
【００６１】
次に、本発明の第２実施形態について説明する。本実施形態では、第１実施形態の吸着描画部１８に代えて、吸着描画部５０を備えている。その他の構成については、第１実施形態と同様であるため、同一の符号を付して詳細な説明は省略する。
【００６２】
図７に示すように、本実施形態の吸着描画部５０は、搬送ベルト５２及び吸引ファン１９を備えている。搬送ベルト５２は、無端状とされ、図８にも示すように、複数の吸引用の吸引穴５２Ａが全面に構成されている。搬送ベルト５２は、ベルトローラ５４、５６とに巻き架けられている。ベルトローラ５６は、搬送方向下流側に配置され、記録用紙ＳＨが搬送方向下流側へ搬送されるように、不図示のモータによって、回転駆動される。ベルトローラ５４は従動回転可能とされている。ベルトローラ５６による搬送速度Ｖ２は、副走査ローラ１４による搬送速度Ｖ０以上の搬送速度とされている（Ｖ２≧Ｖ０≧Ｖ１）。
【００６３】
搬送ベルト５２の間には、吸引ファン１９が配置されている。吸引ファン１９は、吸着描画部５０の上側部が負圧になるように空気を吸引する。これにより、吸着描画部５０上の記録用紙ＳＨは、吸引穴５２Ａからの吸引により搬送ベルト５２に吸着されて平坦性が保持される。
【００６４】
本実施形態によれば、第１実施形態と同様に、記録用紙ＳＨに下流方向への引っ張り力が作用することによる縦しわの発生を抑制することができる。また、第１搬送ローラ２０は、搬送方向と逆方向への回転が阻止されているので、湾曲搬送部３０からの外力による影響が吸着描画部５０へ及ぼされることがなく、記録用紙ＳＨへ良好な描画を行うことができる。
【００６５】
なお、本実施形態では、吸引穴５２Ａの構成された搬送ベルト５２、及び、吸引ファン１９を用いたが、比較的厚みの薄い記録用紙ＳＨの場合には、これらに変えて、図９に示すように、吸着穴の構成されていない帯電ベルト６２及び帯電ローラ６４を用いて、静電吸着により、記録用紙ＳＨを吸着してもよい。
【００６６】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００６７】
１０   画像形成装置
１２   ロール用紙供給部
１４   副走査ローラ（上流側搬送部）
１６   記録ヘッド
１７   平坦部
１８   吸着描画部
１９   吸引ファン
１９Ｐ 吸引ポンプ
２０   第１搬送ローラ
２１   ワンウェイクラッチ
３０   湾曲搬送部
３４   第２搬送ローラ
３６   カッター
５０   吸着描画部
５０   第１搬送ローラ
５２   搬送ベルト
６２   帯電ベルト
Ｓ     記録用紙
【図１】
2010221472.tif 000003
【図２】
2010221472.tif 000004
【図３】
2010221472.tif 000005
【図４】
2010221472.tif 000006
【図５】
2010221472.tif 000007
【図６】
2010221472.tif 000008
【図７】
2010221472.tif 000009
【図８】
2010221472.tif 000010
【図９】
2010221472.tif 000011